(57)【特許請求の範囲】
【請求項１】
接続部を覆う外殻部と、前記外殻部に形成され前記接続部を露出させるための開口と、を有する接続部品に取り付けられる保護カバーであって、
前記外殻部と係脱自在のカバー本体と、
摘み部と、
前記摘み部の基端側に配され、前記カバー本体と前記摘み部とを揺動自在に接続するヒンジ部と、
を備え、
前記カバー本体と前記外殻部との係脱により前記保護カバーの全体が前記外殻部と係脱し、
前記摘み部は、前記カバー本体の前側に重なるように折り返されて前記カバー本体の前側に位置し、
前記カバー本体が前記外殻部と係合した状態で、前記カバー本体と前記摘み部の少なくとも一方により前記開口を閉塞し、
前記カバー本体は、前記摘み部の前記接続部側への押し込みにより前記外殻部と係合し、前記摘み部の前記接続部と反対側への引っ張りにより前記外殻部から離脱し、
前記摘み部の引っ張り時には、前記カバー本体と前記摘み部とのなす角度が開く方向に当該保護カバーが弾性変形することにより、前記摘み部の押し込み時よりも前記摘み部の先端が前記接続部と反対側へ移動し、
前記摘み部の押し込み時には前記摘み部の先端側が前記カバー本体の前面に当接し、
前記摘み部は、前記押し込み時と前記引っ張り時とで異なる形態をなし、
前記摘み部は、前記摘み部に力を加えない状態で、前記カバー本体に沿っていることを特徴とする保護カバー。
【請求項２】
前記カバー本体の縁部に前記カバー本体と連続的に設けられ、前記押し込み時に前記外殻部と当接し、前記ヒンジ部を揺動軸として前記摘み部を押し込み時の形態から引っ張り時の形態とするとき前記外殻部との当接部を支点として回動して前記カバー本体を前記接続部と反対側へ移動させるキック部を備えたことを特徴とする請求項１に記載の保護カバー。
【請求項３】
前記摘み部と前記カバー本体との間に介在し、前記カバー本体が前記外殻部と係合する際に前記外殻部との接触により変位し、前記カバー本体と前記摘み部とのなす角度が閉じる方向に前記摘み部を移動させて前記摘み部を前記押し込み時の形態へ誘導する誘導部を備えたことを特徴とする請求項１または２に記載の保護カバー。
【請求項４】
接続部が凹部内に配され前記接続部を露出させるための開口を有する壁部に取り付けられる保護カバーであって、
前記壁部と係脱自在のカバー本体と、
摘み部と、
前記摘み部の基端側に配され、前記カバー本体と前記摘み部とを揺動自在に接続するヒンジ部と、
を備え、
前記カバー本体と前記壁部との係脱により前記保護カバーの全体が前記壁部と係脱し、
前記摘み部は、前記カバー本体の前側に重なるように折り返されて前記カバー本体の前側に位置し、
前記カバー本体が前記壁部と係合した状態で、前記カバー本体と前記摘み部の少なくとも一方により前記開口を閉塞し、
前記カバー本体は、前記摘み部の前記接続部側への押し込みにより前記壁部と係合し、前記摘み部の前記接続部と反対側への引っ張りにより前記壁部から離脱し、
前記摘み部の引っ張り時には、前記カバー本体と前記摘み部とのなす角度が開く方向に当該保護カバーが弾性変形することにより、前記摘み部の押し込み時よりも前記摘み部の先端が前記接続部と反対側へ移動し、
前記摘み部の押し込み時には前記摘み部の先端側が前記カバー本体の前面に当接し、
前記摘み部は、前記押し込み時と前記引っ張り時とで異なる形態をなし、
前記摘み部は、前記摘み部に力を加えない状態で、前記カバー本体に沿っていることを特徴とする保護カバー。
【請求項５】
前記カバー本体の縁部に前記カバー本体と連続的に設けられ、前記押し込み時に前記壁部と当接し、前記ヒンジ部を揺動軸として前記摘み部を押し込み時の形態から引っ張り時の形態とするとき前記壁部との当接部を支点として回動して前記カバー本体を前記接続部と反対側へ移動させるキック部を備えたことを特徴とする請求項４に記載の保護カバー。
【請求項６】
前記摘み部と前記カバー本体との間に介在し、前記カバー本体が前記壁部と係合する際に前記壁部との接触により変位し、前記カバー本体と前記摘み部とのなす角度が閉じる方向に前記摘み部を移動させて前記摘み部を前記押し込み時の形態へ誘導する誘導部を備えたことを特徴とする請求項４または５に記載の保護カバー。
【請求項７】
前記摘み部は、前記押し込み時と前記引っ張り時の少なくとも一方で弾性変形することを特徴とする請求項１から６のいずれか一項に記載の保護カバー。
【請求項８】
前記摘み部は、
外部から力が作用しない状態で前記押し込み時の形態をなし、
前記押し込み時の形態にて最先端部分が前記カバー本体と離隔していることを特徴とする請求項１から７のいずれか一項に記載の保護カバー。
【請求項９】
前記摘み部の先端側には、前記押し込み時の形態にて前記カバー本体と反対側へ突出する突出部が形成されることを特徴とする請求項１から８のいずれか一項に記載の保護カバー。
【請求項１０】
前記摘み部は、基端と先端の間に少なくとも１つの補助ヒンジ部を有することを特徴とする請求項１から９のいずれか一項に記載の保護カバー。
【請求項１１】
前記摘み部を前記押し込み時の形態でロックするロック部を備えたことを特徴とする請求項１から１０のいずれか一項に記載の保護カバー。
【請求項１２】
接続部を覆う外殻部と、
前記外殻部に形成され前記接続部を露出させるための開口と、を有し、
請求項１から１１のいずれか一項の保護カバーを備えることを特徴とする接続部品。
【請求項１３】
接続部を覆う外殻部と、
前記外殻部に形成され前記接続部を露出させるための開口と、を有する接続部品と、
請求項１から１１のいずれか一項の保護カバーと、を備えることを特徴とする装置。
【発明の詳細な説明】
【技術分野】
【０００１】
本発明は、接続部を覆う外殻部と、外殻部に形成され接続部を露出させるための開口と、を有する接続部品に取り付けられる保護カバー並びにこれを備えた接続部品及び装置に関する。
【背景技術】
【０００２】
従来、モジュラージャック等の接続部品の接続部を保護する保護カバーとして、接続部品の外殻部の内側へ挿入される摺接部と、外殻部の開口を閉塞する平板状の閉塞部と、を有するものが知られている（例えば、特許文献１参照）。閉塞部はモジュラージャック側の壁面と当接するため、一旦モジュラージャック側に取り付けられると、指の爪やマイナスドライバーを壁面と閉塞部との間に差し入れないと、保護カバーをモジュラージャックから離隔することができず、取り外しの作業性が悪いという問題点がある。
【０００３】
この問題点を解決すべく、閉塞部に摘み部を設けた保護カバーが知られている（例えば、特許文献２参照）。この保護カバーによれば、作業者は、摘み部を指で摘んでモジュラージャックから引き抜くことができる。
【特許文献１】意匠第８４５７４３号公報
【特許文献２】実開平４−１１５７７０号公報
【発明の開示】
【発明が解決しようとする課題】
【０００４】
しかしながら、特許文献２に記載の保護カバーでは、摘み部が閉塞部から突出しているため、接続部側への押し込み時に摘み部の先端を押圧することとなる。このとき、摘み部の先端の押圧面積が比較的小さい場合は、押し込み時に十分な押圧面積が確保されず、押し込み時の作業性が悪くなる。一方、摘み部の先端の押圧面積が比較的大きい場合は、押し込み時に有利であるものの、引っ張り時に摘み部を指２本で摘む際に、周囲にケーブル、コネクタ、壁面等の周囲の障害物が存在すると、摘み部が大きい分だけ指が周囲の障害物と干渉しやすくなる。このように、押し込み時の作業性と引っ張り時の作業性はトレードオフの関係にあり、押し込み時と引っ張り時の両方の作業性を同時に改善することが望まれている。
【０００５】
本発明は、前記事情に鑑みてなされたものであり、その目的とするところは、接続部側への押し込み時の作業性と、接続部と反対側への引っ張り時の作業性を、ともに良好とすることのできる保護カバー及びこれを備えた接続部品を提供することにある。
【課題を解決するための手段】
【０００６】
本発明によれば、
接続部を覆う外殻部と、前記外殻部に形成され前記接続部を露出させるための開口と、を有する接続部品に取り付けられる保護カバーであって、
前記外殻部と係脱自在のカバー本体と、
摘み部と、
前記摘み部の基端側に配され、前記カバー本体と前記摘み部とを揺動自在に接続するヒンジ部と、
を備え、
前記カバー本体と前記外殻部との係脱により前記保護カバーの全体が前記外殻部と係脱し、
前記摘み部は、前記カバー本体の前側に重なるように折り返されて前記カバー本体の前側に位置し、
前記カバー本体が前記外殻部と係合した状態で、前記カバー本体と前記摘み部の少なくとも一方により前記開口を閉塞し、
前記カバー本体は、前記摘み部の前記接続部側への押し込みにより前記外殻部と係合し、前記摘み部の前記接続部と反対側への引っ張りにより前記外殻部から離脱し、
前記摘み部の引っ張り時には、前記カバー本体と前記摘み部とのなす角度が開く方向に当該保護カバーが弾性変形することにより、前記摘み部の押し込み時よりも前記摘み部の先端が前記接続部と反対側へ移動し、
前記摘み部の押し込み時には前記摘み部の先端側が前記カバー本体の前面に当接し、
前記摘み部は、前記押し込み時と前記引っ張り時とで異なる形態をなし、
前記摘み部は、前記摘み部に力を加えない状態で、前記カバー本体に沿っていることを特徴とする保護カバーが提供される。
【０００７】
この保護カバーによれば、カバー本体が外殻部と係合すると、カバー本体と摘み部の少なくとも一方により外殻部の開口が閉塞される。これにより、接続部品の接続部が他の部品と未接続である場合に、外部から接続部側への開口を通じた塵埃の侵入が阻止され、接続部を的確に保護することができる。
カバー本体の外殻部への係合は、接続部品と離隔した位置からカバー本体を外殻部に接近させ、摘み部を接続部側へ押し込むことにより実現される。このとき、摘み部の先端は後述する引っ張り時に比して接続部寄りとなっており、摘み部がカバー本体から突出して押し込み難いということはなく、押し込み時の作業性が良好である。
また、カバー本体の外殻部からの離脱は、摘み部を接続部と反対側へ引っ張ることにより実現される。このとき、摘み部の先端は押し込み時に比して接続部と反対側に位置している。これにより、摘み部は接続部と反対側へ延びた状態となることから、引っ張り時には摘み部を摘むことができ、引っ張り時の作業性も良好である。すなわち、押し込み時及び引っ張り時の作業性をともに良好とすることができる。
また、この保護カバーによれば、摘み部は、ヒンジ部を中心として揺動することにより、先端側が移動して押し込み時と引っ張り時で異なる形態となる。
【０００８】
また、上記保護カバーにおいて、前記カバー本体の縁部に前記カバー本体と連続的に設けられ、前記押し込み時に前記外殻部と当接し、前記ヒンジ部を揺動軸として前記摘み部を押し込み時の形態から引っ張り時の形態とするとき前記外殻部との当接部を支点として回動して前記カバー本体を前記接続部と反対側へ移動させるキック部を備えた構成が好ましい。
【０００９】
この保護カバーによれば、カバー本体の引っ張り作業に際し、作業者が摘み部を引っ張り時の形態へ移行させると、キック部によりカバー本体が接続部と反対側へ所定量だけ予め移動する。カバー本体が接続部と反対側へ移動する際には初期位置での抵抗が最も大きいことから、抵抗が小さくなった状態で引っ張り力を加えることになり、作業者は小さな力でカバー本体を引き抜くことができる。
【００１０】
また、上記保護カバーにおいて、前記摘み部と前記カバー本体との間に介在し、前記カバー本体が前記外殻部と係合する際に前記外殻部との接触により変位し、前記カバー本体と前記摘み部とのなす角度が閉じる方向に前記摘み部を移動させて前記摘み部を前記押し込み時の形態へ誘導する誘導部を備えた構成が好ましい。
【００１１】
この保護カバーによれば、カバー本体が外殻部と係合する際に、誘導部により摘み部が押し込み時の形態へ自動的に誘導されるので、押し込み操作が極めて簡単である。また、カバー本体が外殻部に係合した状態では、誘導部により摘み部が押し込み時の形態に誘導されたままであるので、摘み部が押し込み時の形態を維持することとなる。
【００１２】
この保護カバーによれば、摘み部が弾性変形するようにしたので、摘み部を移動させるための移動機構等を設けることなく、押し込み時または引っ張り時に摘み部に加えられる力を利用して、摘み部を異なる形態へと変形させることができる。
【００１５】
また、上記保護カバーにおいて、
前記摘み部は、
外部から力が作用しない状態で前記押し込み時の形態をなし、
前記押し込み時の形態にて最先端部分が前記カバー本体と離隔している構成が好ましい。
【００１６】
この保護カバーによれば、押し込み時の形態で、摘み部の最先端部分がカバー本体と当接していないので、摘み部とカバー本体との間に隙間が形成される。これにより、作業者は、この隙間に指を差し入れ、指を摘み部の先端に引っ掛けて摘み部を引っ張り時の形態へと移動させることができる。
【００１７】
また、上記保護カバーにおいて、
前記摘み部の先端側には、前記押し込み時の形態にて前記カバー本体と反対側へ突出する突出部が形成される構成が好ましい。
【００１８】
この保護カバーによれば、押し込み時の形態で、作業者は、突出部に指を突出部に引っ掛けて摘み部を引っ張り時の形態へと移動させることができる。
【００２１】
また、上記保護カバーにおいて、
前記摘み部は、基端と先端の間に少なくとも１つの補助ヒンジ部を有する構成が好ましい。
【００２２】
この保護カバーによれば、摘み部は基端側部分と先端側部分とが補助ヒンジにより揺動自在となる。このように、前述のヒンジ部に加えて補助ヒンジを設けたので、押し込み時と引っ張り時とで、摘み部の先端の移動量を大きく確保することができ、引っ張り時に摘み部を接続部と反対側へ大きく突出させることができる。
【００２３】
また、上記保護カバーにおいて、
前記摘み部を前記押し込み時の形態でロックするロック部を備えた構成が好ましい。
【００２４】
この保護カバーによれば、ロック部により摘み部が押し込み時の形態でロックされるので、摘み部を先端側が接続部側へ寄せられた状態で静止させることができる。そして、カバー本体が外殻部と係合した状態のときに、摘み部を押し込み時の形態でロックすることにより、接続部品側から摘み部を大きく突出させないで接続部の保護を図ることができる。ここで、カバー本体を外殻部から離脱する際には、ロック部のロックを解除することにより、摘み部を引っ張り時の形態とすることが可能である。
【００２５】
また、本発明によれば、
接続部が凹部内に配され前記接続部を露出させるための開口を有する壁部に取り付けられる保護カバーであって、
前記壁部と係脱自在のカバー本体と、
摘み部と、
前記摘み部の基端側に配され、前記カバー本体と前記摘み部とを揺動自在に接続するヒンジ部と、
を備え、
前記カバー本体と前記壁部との係脱により前記保護カバーの全体が前記壁部と係脱し、
前記摘み部は、前記カバー本体の前側に重なるように折り返されて前記カバー本体の前側に位置し、
前記カバー本体が前記壁部と係合した状態で、前記カバー本体と前記摘み部の少なくとも一方により前記開口を閉塞し、
前記カバー本体は、前記摘み部の前記接続部側への押し込みにより前記壁部と係合し、前記摘み部の前記接続部と反対側への引っ張りにより前記壁部から離脱し、
前記摘み部の引っ張り時には、前記カバー本体と前記摘み部とのなす角度が開く方向に当該保護カバーが弾性変形することにより、前記摘み部の押し込み時よりも前記摘み部の先端が前記接続部と反対側へ移動し、
前記摘み部の押し込み時には前記摘み部の先端側が前記カバー本体の前面に当接し、
前記摘み部は、前記押し込み時と前記引っ張り時とで異なる形態をなし、
前記摘み部は、前記摘み部に力を加えない状態で、前記カバー本体に沿っていることを特徴とする保護カバーが提供される。
【００２６】
さらに、本発明によれば、
接続部を覆う外殻部と、
前記外殻部に形成され前記接続部を露出させるための開口と、を有し、
上記保護カバーを備えることを特徴とする接続部品が提供される。
【００２７】
さらにまた、本発明によれば、
接続部を覆う外殻部と、
前記外殻部に形成され前記接続部を露出させるための開口と、を有する接続部品と、
上記保護カバーと、を備えることを特徴とする装置が提供される。
【発明の効果】
【００２８】
本発明によれば、押し込み時と引っ張り時の作業性をともに良好とすることができ、例えば、周囲がケーブル等に囲まれたような狭い場所であっても、作業者は的確に押し込み及び引っ張りの作業を行うことができる。
【発明を実施するための最良の形態】
【００２９】
図面を参照しつつ、本発明の保護カバーの好適な実施形態について詳細に説明する。尚、図面の説明においては、同一要素には同一符号を付し、重複する説明を省略する。
【００３０】
図１から図９は本発明の第１の実施形態を示すものであって、図１はモジュラージャックに保護カバー及びＬＡＮケーブルが接続されたネットワークターミナルの外観斜視図、図２はモジュラージャックから保護カバーを引き抜いている状態を示すネットワークターミナルの外観斜視図、図３はモジュラージャックに保護カバーを押し込んでいる状態を示すネットワークターミナルの外観斜視図、図４は保護カバーの外観斜視図、図５は保護カバーの背面図、図６は保護カバーの側面図、図７は保護カバーの正面図、図８は保護カバーの底面図、図９は保護カバーの上面図である。
【００３１】
図１に示すように、ネットワークターミナルＮＴにはＬＡＮケーブルＣＡのモジュラージャックＭＪが複数備えられる。図１には、モジュラージャックＭＪが、壁部に２行４列に配置されているものを示す。図２に示すように、接続部品としてのモジュラージャックＭＪは、接続部の側方を覆う外殻部ＯＣと、外殻部ＯＣに形成され接続部を露出させるための開口ＯＰと、を有している。図１に示すように、ＬＡＮケーブルＣＡの先端には、モジュラージャックＭＪと接続されるコネクタＣＣが設けられる。図１では、複数のモジュラージャックＭＪにコネクタＣＣが接続され、他のモジュラージャックＭＪには保護カバー１００が取り付けられている状態を示す。
【００３２】
図３に示すように、保護カバー１００は、合成樹脂からなり、モジュラージャックＭＪの外殻部ＯＣと係脱自在のカバー本体１１０と、カバー本体１１０から所定方向へ延びる摘み部１２０と、を備え、カバー本体１１０が外殻部ＯＣと係合した状態で、カバー本体１１０により開口ＯＰを閉塞する。カバー本体１１０は、図３に示すように摘み部１２０の接続部側への押し込みにより外殻部ＯＣと係合し、図２に示すように摘み部１２０の接続部と反対側への引っ張りにより外殻部ＯＣから離脱する。図２及び図３に示すように、摘み部１２０は、引っ張り時に押し込み時よりも先端が接続部と反対側へ位置し、押し込み時と引っ張り時とで異なる形態をなす。具体的に、摘み部１２０は、押し込み時に先端側がカバー本体１１０と当接し、引っ張り時に先端側がカバー本体１１０から離隔する。本実施形態においては、摘み部１２０は、外部から力が作用しない状態で押し込み時の形態をなし、引っ張り時に弾性変形するようになっている。
【００３３】
本実施形態においては、カバー本体１１０は、外殻部ＯＣの内壁と摺接する摺接部１３０と、摺接部１３０の前端に形成され開口ＯＰを閉塞する閉塞部１４０と、を有する。以下、接続部側を後側、接続部と反対側を前側として説明していく。
【００３４】
図５に示すように、摺接部１３０は、左側壁１３２と、上壁１３４と、右側壁１３６と、を有し、背面視で略コ字状を呈している。図４に示すように、上壁１３４の左右中央上部には、前後へわたって延びる第１突出部１３４ａが形成される。この第１突出部１３４ａの左右中央上部には、前後へわたって延びる第２突出部１３４ｂが形成される。第１突出部１３４ａは前後へわたって同じ高さに形成され、第２突出部１３４ｂは後下がり傾斜する傾斜部１３４ｃを有している。
【００３５】
図５に示すように、閉塞部１４０は、板面を前後に向けた略四角形の平板状に形成される。閉塞部１４０は、摺接部１３０と連続的に形成され、左端が左側壁１３２と略面一であり、右端が右側壁１３６と略面一となっている。また、第２突出部１３４ｂの前端側上部は平坦に形成されており、閉塞部１４０の上部は第２突出部１３４ｂの前端側上部と略面一となっている。さらに、図６に示すように、閉塞部１４０は、摺接部１３０より下方へ突出するよう形成される。尚、閉塞部１４０を、摺接部１３０より下方へ突出しないよう形成してもよい。
【００３６】
摘み部１２０は、閉塞部１４０の下端と連続的に形成されており、板面を前後に向けた略四角形の平板状に形成される。すなわち、図７に示すように、摘み部１２０は、外部から力が作用しない状態で押し込み時の形態をなし、閉塞部１４０の前面と重なった状態となっている。また、図８に示すように、摘み部１２０の左右両端は、閉塞部１４０の左右両端と略面一となっている。本実施形態においては、図６に示すように、摘み部１２０の上端は、閉塞部１４０の上端よりも上方へ突出する。さらに、摘み部１２０の上端側には、上端へ向かって幅広で手前側に湾曲する湾曲部１２２が形成されている。この湾曲部１２２の形成部分においては、摘み部１２０と閉塞部１４０との間に間隙１２４が形成されることとなる。すなわち、摘み部１２０は、押し込み時の形態にて、最先端部分がカバー本体１１０と離隔している。
【００３７】
また、保護カバー１００は、摘み部１２０の基端側に配され、カバー本体１１０と摘み部１２０とを揺動自在に接続するヒンジ部１５０を備えている。本実施形態においては、摘み部１２０と閉塞部１４０との連結部分が、閉塞部１４０に対して摘み部１２０を揺動させるヒンジ部１５０をなしている。図６に示すように、ヒンジ部１５０は、摘み部１２０の下端からなる前側上下延在部１５２と、閉塞部１４０の下端からなる後側上下延在部１５４と、前後に延び各上下延在部１５２，１５４を連結する連結部１５６と、を有している。そして、上端側を前方へ移動させて摘み部１２０を弾性変形させ、各上下延在部１５２，１５４及び連結部１５６により形成される間隙１５８を拡開させることにより、摘み部１２０の先端側が閉塞部１４０から離隔する。間隙１５８は湾曲して形成され、本実施形態においては側面視にて下側が略半円形を呈している。これにより、摘み部１２０の回動による応力集中が回避されるようになっている。
【００３８】
また、前述のように、閉塞部１４０が摺接部１３０より下方へ突出するよう形成されていることから、ヒンジ部１５０の後側上下延在部１５４の後側が、外殻部ＯＣの前面と当接している。後側上下延在部１５４の後側下端と、連結部１５６の下側後端の会合部分は、図６に示すように側面視にて略直角となっている。本実施形態においては、この会合部分が、カバー本体１１０と連続的に設けられ、押し込み時に外殻部ＯＣと当接し、摘み部１２０を引っ張り時の形態とするとき外殻部ＯＣとの当接部を支点として回動してカバー本体１１０を接続部と反対側へ移動させるキック部ＫＩをなす。すなわち、カバー本体１１０の引っ張り作業に際し、作業者が摘み部１２０を引っ張り時の形態へ移行させると、キック部ＫＩによりカバー本体１１０が接続部と反対側へ所定量だけ予め移動するようになっている。
【００３９】
以上のように構成された保護カバー１００では、図３に示すようにカバー本体１１０が外殻部ＯＣと係合すると、カバー本体１１０により外殻部ＯＣの開口ＯＰが閉塞される。これにより、モジュラージャックＭＪの接続部がＬＡＮケーブルＣＡと未接続である場合に、外部から接続部側への開口ＯＰを通じた塵埃の侵入が阻止され、接続部を的確に保護することができる。
【００４０】
カバー本体１１０の外殻部ＯＣへの係合は、モジュラージャックＭＪと離隔した位置からカバー本体１１０を外殻部ＯＣに接近させ、摺接部１３０を開口ＯＰに差し入れた状態で、摘み部１２０を接続部側へ押し込むことにより実現される。このとき、摘み部１２０の先端は引っ張り時に比して接続部寄りとなっており、摘み部１２０がカバー本体１１０から突出して押し込み難いということはなく、押し込み時の作業性が良好である。本実施形態においては、平坦な摘み部１２０の前面を指で押圧することによりカバー本体１１０を押し込むことができる。そして、閉塞部１４０の上部と下部が外殻部ＯＣの前面と当接すると、閉塞部１４０がストッパーとして機能し、モジュラージャックＭＪに対してカバー本体１１０が位置決めされる。
【００４１】
また、カバー本体１１０の外殻部ＯＣからの離脱は、摘み部１２０を接続部と反対側へ引っ張ることにより実現される。本実施形態においては、摘み部１２０の上端が閉塞部１４０より突出していることから、摘み部１２０の上端に指を掛けて摘み部１２０を手前側に回動させることができる。また、摘み部１２０と閉塞部１４０の間に間隙１２４が形成されているので、この間隙１２４に指先を差し入れ摘み部１２０に指を掛けて操作することができ極めて操作性がよい。
【００４２】
そして、摘み部１２０の先端側を回動させると、摘み部１２０が弾性変形してヒンジ部１５０の間隙１５８が拡開する。このとき、キック部ＫＩを支点としてヒンジ部１５０自体も回動するので、後側上下延在部１５４が外殻部ＯＣに対して浮き上がった状態となる。これにより、カバー本体１１０がヒンジ部１５０に引きずられるようにして僅かに前方へ移動する。従って、摘み部１２０を回動させると、自動的にカバー本体１１０が接続部と反対側へ移動する。
【００４３】
このようにして摘み部１２０を回動させると、摘み部１２０の先端は押し込み時に比して接続部と反対側に位置し、摘み部１２０が接続部と反対側へ延びた状態となる。これにより、引っ張り時には摘み部１２０を摘むことができ、引っ張り時の作業性も良好である。すなわち、押し込み時及び引っ張り時の作業性をともに良好とすることができる。
【００４４】
このとき、カバー本体１１０が接続部と反対側へ移動する際には初期位置での抵抗が最も大きいことから、キック部ＫＩによりカバー本体１１０が予め移動されて、抵抗が小さくなった状態で引っ張り力を加えることになり、作業者は小さな力でカバー本体を引き抜くことができる。
【００４５】
また、この保護カバー１００によれば、摘み部１２０に力を加えない状態で、摘み部１２０が閉塞部１４０に沿っていることから、モジュラージャックＭＪに固定された際の摘み部１２０の突出量を極力小さくすることができる。これにより、摘み部１２０が隣接する他のＬＡＮケーブルＣＡと干渉してＬＡＮケーブルＣＡに過大な負荷が加わったり、他のＬＡＮケーブルＣＡが挿抜時に摘み部１２０に引っ掛かってカバー本体１１０がモジュラージャックＭＪから離脱するおそれはない。さらに、ネットワークターミナルＮＴの見栄えもよくなる。
【００４６】
また、この保護カバー１００によれば、図１に示すように、周囲するモジュラージャックＭＪにＬＡＮケーブルＣＡのコネクタＣＣが接続され、保護すべきモジュラージャックＭＪの周辺が手狭となっている場合であっても、指先でカバー本体１１０の押し込み及び引っ張りを行うことができ、外殻部ＯＣに対する挿抜操作が簡単容易である。
【００４７】
また、本実施形態の保護カバー１００によれば、摘み部１２０が弾性変形するようにしたので、摘み部１２０を移動させるための移動機構等を設けることなく、押し込み時または引っ張り時に摘み部１２０に加えられる力を利用して、摘み部１２０を異なる形態へと変形させることができる。また、摘み部１２０の先端側が押し込み時にカバー本体１１０と当接することから、摘み部１２０をカバー本体１１０側へ畳んだ状態でカバー本体１１０を移動させることができる。
【００４８】
尚、第１の実施形態においては、摘み部１２０の上端が閉塞部１４０よりも上方へ突出させたものを示したが、図１０に示すように、摘み部１２０と閉塞部１４０の上端が略面一に形成されていてもよい。
【００４９】
また、第１の実施形態においては、摘み部１２０の上端側に前方へ湾曲する湾曲部１２２を形成することにより、摘み部１２０と閉塞部１４０の間に間隙１２４を画成したものを示したが、例えば、図１１に示すように、閉塞部１４０の上端面を前下がりに傾斜させて閉塞部１４０の上端前部に切欠部を形成して、間隙１２４を画成するようにしてもよい。これによっても、作業者は、指先を間隙１２４に差し入れて摘み部１２０に指を掛けて操作することができる。要は、押し込み時の形態にて、摘み部１２０の最先端部分がカバー本体１１０と離隔していればよい。
【００５０】
また、第１の実施形態においては、ヒンジ部１５０の間隙１５８を湾曲させたものを示したが、例えば、図１２に示すように、ヒンジ部１５０の間隙１５８を側面視にて直線状に形成したものであってもよい。この保護カバー１００は、摘み部１２０及び閉塞部１４０を前後の隙間なく連続的に成形しておき、摘み部１２０と閉塞部１４０の間に上方から下方へ向かって直線的に切り込みを入れることにより製造される。この場合、ヒンジ部１５０の断面係数が増大して変形し難くなることから、摘み部１２０の先端側が前方へ回動した際に、摘み部１２０の先端側を後方へ復帰させる力が大きくなる。これにより、押し込み時に摘み部１２０を閉塞部１４０へ密着させやすいし、モジュラージャックＭＪへの装着時に摘み部１２０を確実に閉塞部１４０に沿わせることができる。
【００５１】
また、第１の実施形態においては、摘み部１２０及び閉塞部１４０が閉じた状態で成形されるものを示したが、例えば、図１３に示すように、摘み部１２０が閉塞部１４０に対して開いた状態で成形しておき、摘み部１２０に曲げ加工を施したものであってもよい。図１３には、閉塞部１４０と摘み部１２０とを垂直に成形しておき、後工程で摘み部１２０の基端側を湾曲させたものを示している。図１３においては、前記実施形態のように摘み部１２０が閉塞部１４０の下端に接続されておらず、上下中央側にて接続されている。この保護カバー１００では、摘み部１２０の基端側を曲げた分だけ摘み部１２０が前方へオフセットし、摘み部１２０と閉塞部１４０の間に上下に延びる間隙１２４が形成され、指先を引っ掛けやすい。また、摘み部１２０の引っ張り時に摘み部１２０がストレート形状となるので、引っ張り時におけるヒンジ部１５０の負荷を低減することができる。
【００５２】
図１４にも、後工程で摘み部１２０の基端側を湾曲させたものを示す。図１４では、前記実施形態と同様に摘み部１２０が閉塞部１４０の下端に接続されている。摘み部１２０は、閉塞部１４０よりも左右に短く形成され、ロック部１６０により押し込み時の形態でロックされている。ロック部１６０は、閉塞部１４０の前面上端に左右一対に形成された延出部１６２と、この延出部１６２と係脱し摘み部１２０の左右側面にそれぞれ形成された突出部としての爪部１６４と、を有している。各延出部１６２は、閉塞部１４０の前面左右両端から前方へ突出する前後延在部１６２ａと、前後延在部１６２ａの前端から左右内側へ延びる内側延在部１６２ｂと、を含んでいる。そして、閉塞部１４０の前面と、前後延在部１６２ａと、内側延在部１６２ｂと、により凹部１６６が画成されている。また、各爪部１６４は、摘み部１２０の左右両端から左右外側へ突出し、摘み部１２０の先端側が閉塞部１４０側へ移動すると凹部１６６に受容されて延出部１６２と係合する。
【００５３】
この保護カバー１００によれば、ロック部１６０により摘み部１２０が押し込み時の形態でロックされるので、摘み部１２０を先端側が接続部側へ寄せられた状態で静止させることができる。そして、カバー本体１１０が外殻部ＯＣと係合した状態のときに、摘み部１２０を押し込み時の形態でロックすることにより、モジュラージャックＭＪ側から摘み部１２０を大きく突出させないで接続部の保護を図ることができる。ここで、カバー本体１１０を外殻部ＯＣから離脱する際には、ロック部１６０のロックを解除することにより、摘み部１２０を引っ張り時の形態とすることが可能である。
【００５４】
ここで、各延出部１６２の内側延在部１６２ｂの前面は左右内側に向かって後方へ傾斜している。これにより、摘み部１２０の先端側が閉塞部１４０側へ移動すると、内側延在部１６２ｂは各爪部１６４と摺接しつつ後方へ弾性変形しやすくなっている。また、各爪部１６４の後側が上面視にて円弧状に仕上げられていることからも、各爪部１６４と各延出部１６２の摺接により大きな抵抗を受けることはない。各延出部１６２は、各爪部１６４が凹部１６６へ入り込んだところで弾性変形した状態から元の状態に復帰し、各爪部１６４の前面が各内側延在部１６２ｂの後面と接触し、摘み部１２０の前方への回動が規制されるようになっている。
【００５５】
摘み部１２０は、図１４に示すように後工程にて基端側が湾曲されているので閉塞部１４０に沿った押し込み状態が自由な状態で、図１５に示すような引っ張り時に弾性変形するようになっている。このように摘み部１２０を後工程で加工することなく、摘み部１２０が真っ直ぐ前方へ延びる引っ張り状態が自由な状態で、押し込み時に弾性変形するようにしてもよい。要は、摘み部１２０は、押し込み時と引っ張り時の少なくとも一方で弾性変形すればよい。この場合、押し込み時の状態でロック部１６０により摘み部１２０が保持されるので、カバー本体１１０をモジュラージャックＭＪ側に押し込んで指を離しても摘み部１２０が復元することはない。
【００５６】
また、図１５には、摘み部１２０と閉塞部１４０の接続部分の端面が、上方及び下方において側面視にて略直角であるものを示しているが、例えば、図１６から図１９に例示するようにしてもよい。
【００５７】
図１６には、上方において略直角で、下方において鈍角に形成されたものを示し、下方の角部については滑らかに湾曲するよう形成されている。この場合、下方については剛性が増すこととなる。
【００５８】
図１７には、上方において鋭角で、下方において鈍角に形成されたものを示し、上方及び下方の角部について滑らかに湾曲するよう形成されている。図１７には、上方及び下方の角部については滑らかに湾曲するよう形成されている。この場合、上方については剛性が減じて下方については剛性が増すことになる。
【００５９】
図１８には、閉塞部１４０における摘み部１２０との接続部分を凹状として、凹状部にて摘み部１２０と接続したものを示す。この場合、接続部分全体で剛性が下がるので、摘み部１２０を曲げやすくなる。
【００６０】
図１９には、摘み部１２０の基端側を細く形成するとともに閉塞部１４０に向かって下方へ傾斜させたものを示す。この場合、細くなったことで摘み部１２０の基端側で剛性が下がるとともに、傾斜したことで摘み部１２０の先端を上方へ回動させやすくなり、摘み部１２０を極めて曲げやすくなる。
【００６１】
また、ロック部１６０として、例えば、図２０に示すように、閉塞部１４０の前面上端に形成された突出部としての爪部１７２を有し、爪部１７２が摘み部１２０の上端と係脱するよう構成されたものであってもよい。図２１に示すように、摘み部１２０は、正面視にて閉塞部１４０とほぼ同じ大きさに形成され、ロック部１６０により押し込み時の形態でロックされる。摘み部１２０の上端には、ロック時に爪部１７２が受容される凹部１７４が形成されている。
【００６２】
具体的に、爪部１７２は、閉塞部１４０の前面左右中央側から前方へ突出する前後延在部１７２ａと、前後延在部１７２ａの前端から下方へ延びる上下延在部１７２ｂと、を含んで形成される。摘み部１２０の先端側が閉塞部１４０側へ移動すると、爪部１７２が凹部１７４に進入し、上下延在部１７２ｂが摘み部１２０の前面と係合する。図２０においては、摘み部１２０は、押し込み時の位置と引っ張り時の位置の中間で自由状態となっている。すなわち、摘み部１２０は、押し込み時の形態であっても、引っ張り時の形態であっても、弾性変形することとなる。
【００６３】
図２２にも、摘み部１２０が押し込み時の位置と引っ張り時の位置の中間にて自由状態であるものを示す。この保護カバー１００は、摘み部１２０の先端側に、押し込み時の形態にてカバー本体１１０と反対側へ突出する突出部１２６が形成されている。図２２には、摘み部１２０の上端に前方へ突出する舌状の突出部１２６を形成したものを示している。また、図２２においては、閉塞部１４０が摺接部１３０と正面視にて同形状となっており、押し込み時に閉塞部１４０が外殻部ＯＣと当接しないようになっている。これにより、閉塞部１４０がストッパとして機能せず、カバー本体１１０をモジュラージャックＭＪに深く差し入れることができる。このようにカバー本体１１０がモジュラージャックＭＪに深く入り込んだとしても、摘み部１２０が自由状態で斜め前方へ突出し、さらに摘み部１２０の上端に前方へ突出する突出部１２６が形成されていることから、作業者は、手前側から摘み部１２０を用いて引っ張り操作を行うことができ、操作に支障をきたすようなことはない。
【００６４】
図２３にも、摘み部１２０が押し込み時の位置と引っ張り時の位置の中間であるものを示す。図２３では、摘み部１２０は、基端と先端の間に補助ヒンジ部１２０ｃを有している。具体的に、摘み部１２０は、閉塞部１４０と下端と連続的に形成され斜め上側前方へ延びる平板状の第１摘み部１２０ａと、第１摘み部１２０ａの先端から斜め下側前方へ延びる平板状の第２摘み部１２０ｂと、を有する。そして、押し込み時には、第１摘み部１２０ａ及び第２摘み部１２０ｂが上下に延在する状態となり、閉塞部１４０、第１摘み部１２０ａ及び第２摘み部１２０ｂが前後に積層されるように重なり合う。また、引っ張り時には、第１摘み部１２０ａ及び第２摘み部１２０ｂが前後に延在する状態となり、第１摘み部１２０ａ及び第２摘み部１２０ｂが真っ直ぐ延びた状態となる。
【００６５】
このように、閉塞部１４０と第１摘み部１２０ａの接続部分がヒンジ部１５０をなすとともに、第１摘み部１２０ａと第２摘み部１２０ｂの接続部分も補助ヒンジ部１２０ｃをなすようにしたので、摘み部１２０の押し込み形態と引っ張り形態のストロークを大きく確保することができ、引っ張り時に摘み部１２０を前方へ大きく突出させることができる。図２３においては、摘み部１２０は閉塞部１４０に比して左右に小さく形成されており、モジュラージャックＭＪの周囲が他のＬＡＮケーブルＣＡ等により塞がれていたとしても、摘み部１２０の展開を簡単容易に行うことができる。ここで、摘み部１２０が２以上の補助ヒンジ部１２０ｃを有するようにしてもよく、要は少なくとも１つの補助ヒンジ部１２０ｃを有していればよい。
【００６６】
また、第１の実施形態においては、閉塞部１４０と連続的に摘み部１２０を形成したものを示したが、例えば、図２４に示すように、閉塞部１４０の前面に前方へ突出する延長部１７０を形成し、この延長部１７０の前面と連続的に摘み部１２０を形成してもよい。これにより、延長部１７０の寸法の分だけ摘み部１２０が前方へオフセットされ、押し込み及び引っ張りの操作をモジュラージャックＭＪの手前側で行うことができる。
【００６７】
また、前記実施形態においては、キック部ＫＩ付近の形状が側面視にて略直角であるものを示したが、例えば図２５に示すように、鋭角に形成されたものであってもよい。この保護カバー１００では、図２６から図３０に示すように、カバー本体１１０及び摘み部１２０の角部が丸くなるよう加工されている。そして、図２７に示すように、キック部ＫＩがその上側に比してカバー本体１１０側へ突出している。これにより、キック部ＫＩが鉛直に形成されている外殻部ＯＣの前面と当接すると、キック部ＫＩに外殻部ＯＣから反力が作用するので、キック部ＫＩにより摘み部１２０を押し込み形態とする付勢力が作用する。従って、カバー本体１１０が外殻部ＯＣ内に押し込まれた際に、仮に摘み部１２０に外力が作用したとしても、外力が付勢力を上回らない限りは摘み部１２０が展開されることはない。また、この保護カバー１００では、図２７に示すように、閉塞部１４０の前面下側が下方へ向かって後方へ傾斜しているので、間隙１５８が下方へ向かって拡開し間隙１５８に指を差し入れ易いものとなっており、摘み部１２０の操作性が良好である。
【００６８】
また、前記実施形態においては、ヒンジ部１５０において、摘み部１２０の下端が閉塞部１４０の下端と連続的に形成されたものを示したが、例えば、図３１に示すように、摺接部１３０と連続的に形成されるようにしてもよい。ヒンジ部１８０は、摺接部１３０の下端前部から前方へ延びる前後延在部１８２と、摘み部１２０の下端からなる後側上下延在部１８４と、を有している。前後延在部１８２は、摘み部１２０とカバー本体１１０との間に介在し、カバー本体１１０が係合する際に外殻部ＯＣとの接触により変位し、摘み部１２０を押し込み時の形態へ誘導する誘導部をなしている。前後延在部１８２は、図３１に示すように外部から力が作用しない自然な状態では前下がりに延び、図３２に示すようにカバー本体１１０が外殻部ＯＣと係合した状態で外殻部ＯＣの下側の内壁と当接している。この保護カバー１００では、図３２に示すように、前後延在部１８２は、外殻部ＯＣの表面よりも後方の位置にて、上方へ湾曲して摺接部１３０の本体と接続される。前後延在部１８２の下部には下方へ突出するキック部ＫＩが形成され、キック部ＫＩは、カバー本体１１０が外殻部ＯＣと係合した状態で、外殻部ＯＣの前面と当接している。
【００６９】
この保護カバー１００では、図３３に示すように、押し込み形態から摘み部１２０の先端を回動すると、キック部ＫＩを支点として前後延在部１８２が前方へ移動することは前記実施形態と同様である。これに加え、この保護カバー１００では、図３４に示すように、前後延在部１８２が変形することにより、前後延在部１８２がキック部ＫＩに追従して前方へ移動することが可能であり、摺接部１３０を前方へ大きく引き出すことができる。従って、初期状態に必要な引っ張り力をさらに減じることができ、カバー本体１１０を外殻部ＯＣから引き出す際の操作性がさらに良好となるので、実用に際して極めて便利である。
【００７０】
一方、カバー本体１１０を外殻部ＯＣ内に押し込むと、図３４に示すように自由な状態で前下がりに傾斜していた前後延在部１８２が、図３２に示すように外殻部ＯＣの内壁と接触して略水平となるよう変位することから、摘み部１２０が前後延在部１８２の動きに追従して押し込み形態に誘導される。このように、カバー本体１１０が外殻部ＯＣと係合する際に、誘導部としての前後延在部１８２により摘み部１２０が押し込み時の形態へ自動的に誘導されるので、押し込み操作が極めて簡単である。
【００７１】
そして、カバー本体１１０を完全に押し込むと、摘み部１２０と閉塞部１４０が閉じた状態となる。カバー本体１１０が外殻部ＯＣに係合した状態では、前後延在部１８２により摘み部１２０が押し込み時の形態に誘導されたままであるので、摘み部１２０が押し込み時の形態を維持することとなる。このように、前後延在部１８２を、押し込み時に外殻部ＯＣと当接し、引っ張り時に正面視にて外殻部ＯＣの表面からはみ出すよう構成することにより、他の形状であっても誘導機能を果たさせることができる。図３１に示すように、誘導部とキック部ＫＩの両方を備えていると摘み部１２０の誘導に効果的であるが、いずれか一方を備えているものであれば摘み部１２０を誘導させることができる。誘導部の形状は任意であるが、外殻部ＯＣとの当接区間が長いほど大きな誘導作用を得ることができる。例えば、図３２に示す前後延在部１８２を後方へ延長し、誘導部がカバー本体１１０下部の前後にわたって形成されるようにして、外殻部ＯＣとの当接区間を長くすると、極めて大きな誘導作用を得ることができる。
【００７２】
また、前記実施形態においては、摘み部１２０の厚さを基端側から先端側まで略一定としたものを示したが、例えば、図３５に示すように、基端から先端に向かって厚みが増すようにしてもよい。この場合、引っ張り時の姿勢で手前側に厚みが増すことから、作業者が２本の指で摘み部１２０を挟んで引っ張った際に、各指の間から摘み部１２０が抜けにくくなる。図３５では、閉塞部１４０を前面が上方へ向かって後方へ傾斜して上方へ向かって厚みが減るようにし、摘み部１２０を後面が上方へ向かって後方へ傾斜して上方へ向かって厚みが増すようにしている。閉塞部１４０と摘み部１２０との間隙は、下方へ向かって僅かに広がるよう形成されている。
【００７３】
また、図３６に示すように、摘み部１２０の基端から先端に向かって厚みが減るようにしてもよい。この場合、摘み部１２０の先端側が基端側に比して断面係数が小さくなることから、先端側で弾性変形しやすくなり、先端側を指先で引っ掛けて変形させやすいという利点がある。図３６では、閉塞部１４０の前面が鉛直であり、摘み部１２０の後面が上方へ向かって後方へ傾斜している。この保護カバー１００では、摘み部１２０の前面も上方へ向かって後方へ傾斜しており、摘み部１２０全体として後方へ傾斜している。これにより、摘み部１２０を略水平の引っ張り時の形態としたときに、摘み部１２０の捻り角度が増して大きな復帰力を得ることができる。ここで、閉塞部１４０と摘み部１２０の間隙は、下方へ向かって広がるようになっている。
【００７４】
また、図３７に示すように、閉塞部１４０を、その前面が上方へ向かって後方へ傾斜して上方へ向かって厚みが減るようにし、基端から先端までの厚みが一定の摘み部１２０を上方へ向かって後方へ傾斜させたものであってもよい。この場合、閉塞部１４０と摘み部１２０との間隙は、下方へ向かって僅かに広がるよう形成されている。これによっても、摘み部１２０を略水平の引っ張り時の形態としたときに、摘み部１２０の捻り角度が増して大きな復帰力を得ることができる。
【００７５】
さらに、図３８に示すように、閉塞部１４０及び摘み部１２０の厚さを上下にわたって形成しておき、摘み部１２０を上方へ向かって後方へ傾斜させたものであってもよい。この場合、閉塞部１４０と摘み部１２０の間隙は、下方へ向かって広がるようになっている。これによっても、摘み部１２０を略水平の引っ張り時の形態としたときに、摘み部１２０の捻り角度が増して大きな復帰力を得ることができる。
【００７６】
また、前記実施形態においては、摘み部１２０が平坦な板状であるものを示したが、摘み部１２０に上下方向について剛性が変化する剛性変化部を形成してもよい。剛性変化部としては、例えば、摘み部１２０の表面に凹部１２８を形成したり、摘み部１２０を屈曲または湾曲させることが考えられる。
【００７７】
図３９及び図４０には、摘み部１２０の表面にヒンジ部１５０の軸方向と平行に延びる溝状の凹部１２８を形成したものを示し、図３９は後面の基端側に一の凹部１２８が形成され、図４０は後面の基端側から先端側に向かって複数の凹部１２８が並んだものを示している。これにより、摘み部１２０の先端側を回動すると、凹部１２８を起点として摘み部１２０が弾性変形するので、摘み部１２０の先端側を閉塞部１４０に対して開きやすくなる。尚、図３９及び図４０には、摘み部１２０の後面に凹部１２８を形成したものを示したが、摘み部１２０の前面に凹部１２８を形成してもよい。
【００７８】
また、図４１及び図４２には、基端側から先端側まで一定の厚さの摘み部１２０を屈曲または湾曲させたものを示し、図４１は摘み部１２０の基端側にて上方へ向かって前方へ屈曲され、図４２は摘み部１２０の基端側にて前方へ凸となるよう湾曲されたものを示している。これにより、摘み部１２０の先端側を回動すると、屈曲部分または湾曲部分を起点として摘み部１２０が弾性変形するので、摘み部１２０の先端側を閉塞部１４０に対して開きやすくなる。
【００７９】
また、図４３には、摘み部１２０の基端側が先端側に比して細く形成されるとともに、摘み部１２０基端側にて下方へ向かって前方へ屈曲されたものを示す。さらに、図４４には、閉塞部１４０と摘み部１２０の連結部分が細く形成されるとともに下方へ湾曲して突出しているものを示す。
【００８０】
また、前記実施形態においては、閉塞部１４０と摘み部１２０とが連続的に一体に成形されたものを示したが、閉塞部１４０と摘み部１２０とを別体としてもよいことは勿論である。図４５には、摘み部１２０に左右方向へ延びるヒンジ軸１９０を形成するとともに、閉塞部１４０にこのヒンジ軸１９０のヒンジ受け１９２を形成したものを示している。この場合、ヒンジ軸１９０の表面に突出部を形成して、所定角度だけ回動した状態でヒンジ受け１９２の内面に形成された凹部に嵌り込むようにすれば、押し込み状態または引っ張り状態で摘み部１２０をロックすることができる。さらには、ヒンジ軸１９０を、閉塞部１４０及び摘み部１２０と別体としてもよい。
【００８１】
また、前記実施形態においては、摘み部１２０が閉塞部１４０の前方に配される表面部の全部をなすものを示したが、例えば、図４６から図５６に示すように、摘み部１２０が表面部の一部をなすものであってもよい。
【００８２】
図４６の保護カバー１００は、摘み部１２０が表面部の左右中央側をなし、摘み部１２０の左右外側が不動部１９４となっている。図４７に示すように、この保護カバー１００では、摘み部１２０の前面が各不動部１９４と面一となっている。これにより、モジュラージャックＭＪとの係合時の見栄えが良好となっている。また、図４８に示すように、摘み部１２０の前面を各不動部１９４より凹ませ、摘み部１２０に他のＬＡＮケーブルＣＡ等が引っ掛かり難くしてもよい。また、この逆に、図４９に示すように、摘み部１２０の前面を各不動部１９４より突出させ、摘み部１２０の先端側を摘みやすくしてもよい。
【００８３】
さらには、図５０に示すように、摘み部１２０が表面部の左右中央側の上側領域をなすようにし、摘み部１２０の左右外側並びに下側が不動部１９４となるようにしてもよい。この保護カバー１００においても、図５１に示すように摘み部１２０の前面が不動部１９４と面一にするようにしてもよいし、図５２に示すように摘み部１２０の前面が不動部１９４より凹んでいたり、或いは突出していたりしてもよい。
【００８４】
さらに、図５３に示すように、摘み部１２０を上側に向かって斜め前方へ傾斜させ、摘み部１２０の上端に前側下方へ突出する舌状の突出部１２６を形成したものであってもよい。これにより、作業者は、突出部１２６を摘んで摘み部１２０の先端側を回動させることができる。この保護カバー１００では、摘み部１２０が突出部１２６の前方から押圧されると、摘み部１２０の本体が閉塞部１４０側へ移動することに加え、突出部１２６が摘み部１２０の前面側に移動して折りたたまれて、図５４に示すように、突出部１２６の前面が不動部１９４と略面一となる。これにより、押し込み時に押圧しやすくなっている。
【００８５】
さらにまた、図５５に示すように、摘み部１２０が表面部の左右中央側の下側領域をなすようにし、摘み部１２０の左右外側並びに上側が不動部１９４となるようにしてもよい。この保護カバー１００においては、摘み部１２０の上端に上方へ突出する突出部が形成され、不動部１９４の左右中央下面には突出部を受容可能な凹部１６６が形成されている。この突出部及び凹部１６６がロック部１６０をなし、図５６に示すように摘み部１２０が押し込み時の形態でロックされるようになっている。さらに、例えば、ロック部１６０をカバー本体１１０と摘み部１２０の一方に形成された棒状部と他方に形成されこの棒状部が圧入される穴部とから構成してもよく、ロック部１６０の構成は適宜変更することが可能である。
【００８６】
また、前記実施形態においては、摘み部１２０が正面視にて四角形状に形成されたものを示したが、摘み部１２０の形状は任意である。例えば、図５７及び図５９に示すように摘み部１２０をリング状とし、摘み部１２０の内側に指を挿入して引っ張り可能に構成されたものであってもよい。図５７にはリング状の摘み部１２０が基端側で左右方向に延びるヒンジ部１５０で閉塞部１４０側に接続されているものを示し、図５９にはリング状の摘み部１２０が点状に閉塞部１４０側に接続されているものを示す。
【００８７】
また、例えば、図５８に示すように、摘み部１２０を上下に延びる棒状部１２０ａと棒状部１２０ａの先端に形成された円形部１２０ｂとから構成したものであってもよい。ここで、円形部１２０ｂは棒状部１２０ａの幅に比して大きな径で形成されており、円形部１２０ｂを摘みやすくする工夫がなされている。
【００８８】
また、例えば、図６０に示すように、摘み部１２０を先端側へ向かって左右寸法が拡がるように形成してもよい。この場合、摘み部１２０の基端側で弾性変形しやすくしつつも、先端側は比較的広い面積が確保されることから、摘み時の作業性に支障をきたすことはない。さらに、例えば、図６１に示すように、摘み部１２０が基端側から先端側に向かって左右寸法が一旦縮んでから左右寸法が拡がるようにしてもよい。また、例えば、図６２に示すように、摘み部１２０を正面視で略円形に形成してもよい。
【００８９】
図６３及び図６４は本発明の第２の実施形態を示すものであり、図６３は保護カバーの正面図、図６４は保護カバーの側面図である。
【００９０】
この保護カバー２００は、同軸ケーブルのコネクタの接続部を保護するものである。ここで、同軸ケーブルのコネクタは、接続部の側方を覆う略円筒状の外殻部と、外殻部の端部に形成され接続部を露出させるための略円形の開口と、を有している。図５７に示すように、保護カバー２００は、同軸ケーブルの外殻部と係脱自在のカバー本体２１０と、カバー本体２１０から所定方向へ延びる摘み部２２０と、を備え、カバー本体２１０が外殻部と係合した状態で、カバー本体２１０により開口を閉塞する。
【００９１】
本実施形態においては、カバー本体２１０は、外殻部の外周面と摺接する摺接部２３０と、摺接部２３０の前端に形成され開口の一部を閉塞する閉塞部２４０と、を有する。以下、接続部側を後側、接続部と反対側を前側として説明していく。
【００９２】
図６４に示すように、摺接部２３０は前後に延びる略円筒状に形成され、閉塞部２４０は摺接部２３０の前端に連続的に形成される。本実施形態においては、図６３に示すように、閉塞部２４０の左右中央側が切り欠かれ、上下に延びる摘み部２２０が押し込み時に閉塞部２４０の切り欠かれた部分を閉塞する。すなわち、閉塞部２４０と摘み部２２０の両方で同軸ケーブルの開口を閉塞する。
【００９３】
第１の実施形態と同様に、摘み部２２０は基端側で閉塞部２４０と接続される。摘み部２２０の上端には前方へ突出する突出部２２６が形成されており、指先が引っかけやすいものとなっている。摘み部２２０は押し込み時に閉塞部２４０と係合して同軸ケーブルとともに開口を覆って接続部を保護する。引っ張り時の動作については第１の実施形態と同様であるので、ここでは説明を省略する。
【００９４】
図６５及び図６６は本発明の第３の実施形態を示すものであり、図６５は保護カバーの正面図、図６６は保護カバーの側面図である。
【００９５】
この保護カバー３００は、壁部に設けられる家庭用の電気コンセントの被挿入側のコネクタを保護するものである。保護カバー３００は、接続部が凹部内に配され接続部を露出させるための開口を有する壁部に取り付けられる。図６５に示すように、保護カバー３００は、壁部と係脱自在のカバー本体３１０と、カバー本体３１０から所定方向へ延びる摘み部３２０と、を備え、カバー本体３１０が壁部と係合した状態で、カバー本体３１０により開口を閉塞する。カバー本体３１０は、摘み部３２０の接続部側への押し込みにより壁部と係合し、摘み部３２０の接続部と反対側への引っ張りにより壁部から離脱する。また、摘み部３２０は、摘み部３２０の引っ張り時に押し込み時よりも先端が接続部と反対側へ位置し、押し込み時と引っ張り時とで異なる形態をなす。
【００９６】
具体的には、図６６に示すように、カバー本体３１０は一対の開口に挿入される一対の板状の挿入部３３０と、挿入部３３０と連続的に形成され壁部の前面と当接する閉塞部３４０と、を有する。すなわち、家庭用のコンセントプラグと同様に、一対の挿入部３３０を開口に差し込むようになっている。閉塞部３４０は、中央側が切り欠かれており、上下に延びる摘み部３２０が押し込み時に閉塞部３４０の切り欠かれた部分を閉塞する。摘み部３２０は基端側で閉塞部３４０と接続される。引っ張り時の動作については第１の実施形態と同様であるので、ここでは説明を省略する。
【００９７】
また、図６７及び図６８に示すように、閉塞部３４０を切り欠くことなく、摘み部３２０を閉塞部３４０の下端から下方へ延びるよう形成してもよい。このように、カバー本体３１０の挿抜線の外側に摘み部３２０を配してもよい（図６８参照）。この場合も、摘み部３２０の先端は引っ張り時に押し込み時に比して接続部と反対側へ移動するので、押し込み時と引っ張り時の両方の作業性が良好となる。また、図６７に示すように、摘み部３２０が下方へ突出している分だけ正面視における投影面積が増し、作業者は保護カバー３００の存在を認識しやすい。
【００９８】
また、この摘み部３２０を挿抜線の外部に設けた場合も、図６９及び図７０に示すように、摘み部３２０に凹部３２８を形成してもよい。尚、図６９及び図７０には、第１の実施形態と同様のモジュラージャックＭＪ用のカバー本体１１０を有するものを示している。図６９には摘み部３２０の後面に凹部３２８を形成した保護カバー３００を示し、図７０には摘み部３２０の前面に凹部３２８を形成した保護カバー３００を示す。さらに、図７１には、自由の状態で摘み部３２０の先端が押し込み時と引っ張り時の中間にあるものを示す。
さらに、第３の実施形態の保護カバー３００に、第１の実施形態のようなキック部ＫＩや誘導部を設けてもよい。
【００９９】
図７２は本発明の第４の実施形態を示すものであり、図７２は保護カバーが装着された携帯電話機ＰＨの説明図、図７３は保護カバーの上面図である。
【０１００】
図７２に示すように、この保護カバー４００は、装置としての携帯電話機ＰＨに備えられ、携帯電話機ＰＨのコネクタの接続部を保護するものである。ここで、接続部品としてのコネクタは、接続部の側方を覆う外殻部ＯＣと、外殻部ＯＣの端部に形成され接続部を露出させるための開口と、を有している。すなわち、携帯電話機ＰＨのコネクタは、保護カバー４００を備えているということができる。図７３に示すように、保護カバー４００は、携帯電話機ＰＨの外殻部ＯＣと係脱自在のカバー本体４１０と、カバー本体４１０から所定方向へ延びる摘み部４２０と、を備え、カバー本体４１０が外殻部と係合した状態で、カバー本体４１０により開口を閉塞する。
【０１０１】
本実施形態においては、カバー本体４１０は、外殻部ＯＣの一側壁と係合する第１爪４３２と、外殻部ＯＣの他側壁と係合する第２爪４３４と、各爪４３２，４３４と連続的に形成され開口を閉塞する閉塞部４４０と、を有する。以下、接続部側を後側、接続部と反対側を前側として説明していく。
【０１０２】
第１爪４３２は固定的に外殻部ＯＣに取り付けられており、コネクタの開閉は、第２爪４３４を係脱して、カバー本体４１０を接続部側へ押し込んだり、接続部と反対側へ引っ張ることにより行われる。閉塞部４４０は各爪４３２，４３４の前端に連続的に形成される。
【０１０３】
本実施形態においては、前記各実施形態と同様に、摘み部４２０は閉塞部４４０の下端と接続される。摘み部４２０は上方へ延びるよう成形され、摘み部４２０の先端を前方へ回動させることにより、カバー本体４１０をコネクタから引き抜くことができる。この保護カバー４００は各爪４３２，４３４により閉塞部４４０が比較的強固に固定されており、摘み部４２０を略水平に変形させて引っ張ることにより簡単容易にコネクタを開放できるので、実用に際して極めて有利である。
【０１０４】
尚、第４の実施形態においては、摘み部４２０が上方へ向かって延びるものを示したが、例えば、図７４から図７６に示すように、摘み部４２０が左右一端側から閉塞部４４０に沿って多端側へ延びるものであってもよい。図７４及び図７５については、摘み部４２０が左右一端側に形成されて左右他端側には引っ掛かり防止部として機能する閉塞部４４０が形成されている。また、図７６については、摘み部４２０が左右にわたって形成されている。
【０１０５】
また、図７４から図７６に示すように、外殻部ＯＣと摺接する摺接部４３０を設けてもよい。図７４の保護カバー４００では、第１の実施形態と同様にキック部ＫＩを備え、ヒンジ部４８０の前後延在部４８２が摺接部４３０と接続されている。カバー本体４１０を抜脱させる初期に大きな力が必要な場合は、この構成は有利である。また、図７５及び図７６の保護カバー４００では、キック部ＫＩは設けられていないものの、摘み部４２０の基端が携帯電話機ＰＨの外殻部ＯＣと当接していることから、摘み部４２０の先端を手前側に移動させると、カバー本体４１０が抜き出し方向へ付勢される。
【０１０６】
また、前記各実施形態においては、１つの接続部を保護するものを示したが、例えば、図７７に示すように、複数の接続部を保護するものであってもよい。図７７の保護カバー５００は、一対のフェルールを備える光コネクタを保護するものであり、カバー本体５１０の摺接部５３０を左右に並べて２つ備え、閉塞部５４０及び摘み部５２０を左右に延長して２つの接続部で共用としている。
【０１０７】
また、前記各実施形態においては、接続部品としてモジュラージャックＭＪ、同軸ケーブル、電気コンセント、携帯電話機ＰＨのコネクタ等の具体例を示したが、接続部品であれば他のコネクタ、アダプタ、レセプタクル、ジャック、プラグ等に適用可能である。また、接続部の側方を覆う外殻部を有していれば、雄型であろうと雌型であろうと適用可能であるし、その他、具体的な細部構造等についても適宜に変更可能であることは勿論である。
【図面の簡単な説明】
【０１０８】
【図１】本発明の第１の実施形態を示すものであり、モジュラージャックに保護カバー及びＬＡＮケーブルが接続されたネットワークターミナルの外観斜視図である。
【図２】モジュラージャックから保護カバーを引き抜いている状態を示すネットワークターミナルの外観斜視図である。
【図３】モジュラージャックに保護カバーを押し込んでいる状態を示すネットワークターミナルの外観斜視図である。
【図４】保護カバーの外観斜視図である。
【図５】保護カバーの背面図である。
【図６】保護カバーの側面図である。
【図７】保護カバーの正面図である。
【図８】保護カバーの底面図である。
【図９】保護カバーの上面図である。
【図１０】変形例を示す保護カバーの外観斜視図である。
【図１１】変形例を示す保護カバーの外観斜視図である。
【図１２】変形例を示す保護カバーの側面図である。
【図１３】変形例を示す保護カバーの外観斜視図である。
【図１４】変形例を示す保護カバーの外観斜視図である。
【図１５】変形例を示す保護カバーの側面図である。
【図１６】変形例を示す保護カバーの側面図である。
【図１７】変形例を示す保護カバーの側面図である。
【図１８】変形例を示す保護カバーの側面図である。
【図１９】変形例を示す保護カバーの側面図である。
【図２０】変形例を示す保護カバーの側面図である。
【図２１】変形例を示す保護カバーの上面図である。
【図２２】変形例を示す保護カバーの外観斜視図である。
【図２３】変形例を示す保護カバーの外観斜視図である。
【図２４】変形例を示す保護カバーの外観斜視図である。
【図２５】変形例を示す保護カバーの外観斜視図である。
【図２６】変形例を示す保護カバーの背面図である。
【図２７】変形例を示す保護カバーの側面図である。
【図２８】変形例を示す保護カバーの正面図である。
【図２９】変形例を示す保護カバーの底面図である。
【図３０】変形例を示す保護カバーの上面図である。
【図３１】変形例を示す保護カバーの外観斜視図である。
【図３２】変形例を示す押し込み状態の保護カバーの側面図である。
【図３３】変形例を示す押し込み状態から引っ張り状態へ移動する途中の保護カバーの側面図である。
【図３４】変形例を示す引っ張り状態の保護カバーの側面図である。
【図３５】変形例を示す保護カバーの側面図である。
【図３６】変形例を示す保護カバーの側面図である。
【図３７】変形例を示す保護カバーの側面図である。
【図３８】変形例を示す保護カバーの側面図である。
【図３９】変形例を示す保護カバーの側面図である。
【図４０】変形例を示す保護カバーの側面図である。
【図４１】変形例を示す保護カバーの側面図である。
【図４２】変形例を示す保護カバーの側面図である。
【図４３】変形例を示す保護カバーの側面図である。
【図４４】変形例を示す保護カバーの側面図である。
【図４５】変形例を示す保護カバーの側面図である。
【図４６】変形例を示す保護カバーの正面図である。
【図４７】変形例を示す保護カバーの側面図である。
【図４８】変形例を示す保護カバーの側面図である。
【図４９】変形例を示す保護カバーの側面図である。
【図５０】変形例を示す保護カバーの正面図である。
【図５１】変形例を示す保護カバーの側面図である。
【図５２】変形例を示す保護カバーの側面図である。
【図５３】変形例を示す保護カバーの側面図である。
【図５４】変形例を示す保護カバーの側面図である。
【図５５】変形例を示す保護カバーの正面図である。
【図５６】変形例を示す保護カバーの側面図である。
【図５７】変形例を示すものであって、（ａ）は押し込み時の保護カバーの正面図、（ｂ）は引っ張り時の保護カバーの上面図である。
【図５８】変形例を示すものであって、（ａ）は押し込み時の保護カバーの正面図、（ｂ）は引っ張り時の保護カバーの上面図である。
【図５９】変形例を示すものであって、（ａ）は押し込み時の保護カバーの正面図、（ｂ）は引っ張り時の保護カバーの上面図である。
【図６０】変形例を示すものであって、（ａ）は押し込み時の保護カバーの正面図、（ｂ）は引っ張り時の保護カバーの上面図である。
【図６１】変形例を示すものであって、（ａ）は押し込み時の保護カバーの正面図、（ｂ）は引っ張り時の保護カバーの上面図である。
【図６２】変形例を示すものであって、（ａ）は押し込み時の保護カバーの正面図、（ｂ）は引っ張り時の保護カバーの上面図である。
【図６３】本発明の第２の実施形態を示す保護カバーの正面図である。
【図６４】保護カバーの側面図である。
【図６５】本発明の第３の実施形態を示す保護カバーの正面図である。
【図６６】保護カバーの側面図である。
【図６７】変形例を示す保護カバーの正面図である。
【図６８】変形例を示す保護カバーの側面図である。
【図６９】変形例を示す保護カバーの側面図である。
【図７０】変形例を示す保護カバーの側面図である。
【図７１】変形例を示す保護カバーの側面図である。
【図７２】本発明の第４の実施形態を示す保護カバーが装着された携帯電話機の説明図である。
【図７３】保護カバーの上面図である。
【図７４】変形例を示す保護カバーの上面図である。
【図７５】変形例を示す保護カバーの側面図である。
【図７６】変形例を示す保護カバーの側面図である。
【図７７】変形例を示す保護カバーの外観斜視図である。
【符号の説明】
【０１０９】
１００    保護カバー
１１０    カバー本体
１２０    摘み部
１２０ａ    棒状部
１２０ｂ    円形部
１２０ｃ    補助ヒンジ部
１２２    湾曲部
１２４    間隙
１２６    突出部
１２８    凹部
１３０    摺接部
１３２    左側壁
１３４    上壁
１３４ａ    第１突出部
１３４ｂ    第２突出部
１３４ｃ    傾斜部
１３６    右側壁
１４０    閉塞部
１５０    ヒンジ部
１５０    ヒンジ部
１５２    前側上下延在部
１５４    後側上下延在部
１５６    連結部
１５８    間隙
１６０    ロック部
１６２    延出部
１６２ａ    前後延在部
１６２ｂ    内側延在部
１６４    爪部
１６６    凹部
１７０    延長部
１７２    爪部
１７２ａ    前後延在部
１７２ｂ    上下延在部
１７４    凹部
１８０    ヒンジ部
１８２    前後延在部
１８４    後側上下延在部
１９０    ヒンジ軸
１９２    ヒンジ受け
１９４    各不動部
１９４    不動部
２００    保護カバー
２１０    カバー本体
２２０    摘み部
２２６    突出部
２３０    摺接部
２４０    閉塞部
３００    保護カバー
３１０    カバー本体
３２０    摘み部
３２８    凹部
３３０    挿入部
３４０    閉塞部
４００    保護カバー
４１０    カバー本体
４２０    摘み部
４３０    摺接部
４３２    第１爪
４３４    第２爪
４４０    閉塞部
４８０    ヒンジ部
４８２    前後延在部
５００    保護カバー
５１０    カバー本体
５２０    摘み部
５３０    摺接部
５４０    閉塞部
ＣＡ        ケーブル
ＣＣ        コネクタ
ＫＩ        キック部
ＭＪ        モジュラージャック
ＮＴ        ネットワークターミナル
ＯＣ        外殻部
ＯＰ        開口
ＰＨ        携帯電話機
【図１】
0004813891.tif 000002
【図２】
0004813891.tif 000003
【図３】
0004813891.tif 000004
【図４】
0004813891.tif 000005
【図５】
0004813891.tif 000006
【図６】
0004813891.tif 000007
【図７】
0004813891.tif 000008
【図８】
0004813891.tif 000009
【図９】
0004813891.tif 000010
【図１０】
0004813891.tif 000011
【図１１】
0004813891.tif 000012
【図１２】
0004813891.tif 000013
【図１３】
0004813891.tif 000014
【図１４】
0004813891.tif 000015
【図１５】
0004813891.tif 000016
【図１６】
0004813891.tif 000017
【図１７】
0004813891.tif 000018
【図１８】
0004813891.tif 000019
【図１９】
0004813891.tif 000020
【図２０】
0004813891.tif 000021
【図２１】
0004813891.tif 000022
【図２２】
0004813891.tif 000023
【図２３】
0004813891.tif 000024
【図２４】
0004813891.tif 000025
【図２５】
0004813891.tif 000026
【図２６】
0004813891.tif 000027
【図２７】
0004813891.tif 000028
【図２８】
0004813891.tif 000029
【図２９】
0004813891.tif 000030
【図３０】
0004813891.tif 000031
【図３１】
0004813891.tif 000032
【図３２】
0004813891.tif 000033
【図３３】
0004813891.tif 000034
【図３４】
0004813891.tif 000035
【図３５】
0004813891.tif 000036
【図３６】
0004813891.tif 000037
【図３７】
0004813891.tif 000038
【図３８】
0004813891.tif 000039
【図３９】
0004813891.tif 000040
【図４０】
0004813891.tif 000041
【図４１】
0004813891.tif 000042
【図４２】
0004813891.tif 000043
【図４３】
0004813891.tif 000044
【図４４】
0004813891.tif 000045
【図４５】
0004813891.tif 000046
【図４６】
0004813891.tif 000047
【図４７】
0004813891.tif 000048
【図４８】
0004813891.tif 000049
【図４９】
0004813891.tif 000050
【図５０】
0004813891.tif 000051
【図５１】
0004813891.tif 000052
【図５２】
0004813891.tif 000053
【図５３】
0004813891.tif 000054
【図５４】
0004813891.tif 000055
【図５５】
0004813891.tif 000056
【図５６】
0004813891.tif 000057
【図５７】
0004813891.tif 000058
【図５８】
0004813891.tif 000059
【図５９】
0004813891.tif 000060
【図６０】
0004813891.tif 000061
【図６１】
0004813891.tif 000062
【図６２】
0004813891.tif 000063
【図６３】
0004813891.tif 000064
【図６４】
0004813891.tif 000065
【図６５】
0004813891.tif 000066
【図６６】
0004813891.tif 000067
【図６７】
0004813891.tif 000068
【図６８】
0004813891.tif 000069
【図６９】
0004813891.tif 000070
【図７０】
0004813891.tif 000071
【図７１】
0004813891.tif 000072
【図７２】
0004813891.tif 000073
【図７３】
0004813891.tif 000074
【図７４】
0004813891.tif 000075
【図７５】
0004813891.tif 000076
【図７６】
0004813891.tif 000077
【図７７】
0004813891.tif 000078